(57)【要約】【課題】ラケットの打球フィーリングを改善するバドミントンラケットを提供する。【解決手段】バトミントンラケット１０の筒状のシャフト２０を有し、シャフト２０は、前端２１から後端２２に向かってテーパー状に太くなっている。前端２１の外径は７．０ｍｍ以下であり、後端２２の外径Ｂは７．０ｍｍ以上である。さらに、外径は５．５ｍｍ〜７．０ｍｍ、外径Ｂは７．０ｍｍ〜８．０ｍｍであることが望ましい。そのため、前端２１に近づくほど弾性が優れ、後端２２に近づくほど剛性が強くなるので、打球時のスピード及びショットラインが向上する。【選択図】　図１
0003098026.tif 000002
【実用新案登録請求の範囲】
【請求項１】
バドミントンラケットであって、
複合繊維材料によって作られており、
シャフトとヘッドフレームを備え、
そのシャフト前端には接続部があり、ヘッドフレームと接続され、シャフト後端にはグリップをつなげることが可能であり、ヘッドフレームにはガットを張ることが可能であり、
シャフトは円錐形パイプ状となっており、かつその前端の外径は７．０ｍｍ以下、かつ後端の外径は７．０ｍｍ以上であることを特徴とするバトミントンラケット。
【請求項２】
シャフト前端の外径は５．５ｍｍ〜７．０ｍｍの間に設定されることを特徴とする請求項１記載のバトミントンラケット。
【請求項３】
シャフト後端の外径は７．０ｍｍ〜８．０ｍｍの間に設定されることを特徴とする請求項１記載のバトミントンラケット。
【請求項４】
シャフトの外径の大小は後端から前端に至って徐々に連続して変化していることを特徴とする請求項１記載のバトミントンラケット。
【考案の詳細な説明】
【０００１】
【考案の属する技術分野】
本考案は運動器具に関し、特に極めて優れた打球特性を備えたバドミントンラケットに関する。
【０００２】
【従来の技術】
現在の一般的なバドミントンラケットの多くは複合繊維材料（カーボンファイバー複合材料など）によって作られていて、図３は一種の従来のバドミントンラケット９０を示している。このバドミントンラケット９０はシャフト９２及びシャフト前端に接続されたヘッドフレーム９４により構成されている。シャフト９２後端にはグリップ９６が接合され、ヘッドフレーム９４にガットを張ることにより内部にガット面を形成し、これによってバドミントンラケットが組成されている。
【０００３】
従来のバドミントンラケットにおいては、シャフト９２はまっすぐなパイプ状を呈しており、その外径は７．０ｍｍまたは７．５ｍｍの両種に分けることができる。一般的に、その他の条件が同じである前提のもとでは、シャフト外径が大きくなるほど、その剛性もより高くなり、反ねじり強度もより優れたものになる。しかし、彎曲弾性は相対的に比較的低く、逆にシャフト外径が小さくなるほど、弾性を向上させることはできるが、剛性及び反ねじり強度も相対的に低くなる。言い換えれば、外径の異なるふたつのシャフトを比較すると、剛性、反ねじり強度及び彎曲弾性などの特性はそれぞれ長短があり、絶対的に理想の太さというものはない。つまり、ラケットのひとつの方面の特性を優先すると、同時にもう一方の特性が相対的に弱まることになる。
【０００４】
このほか、打球時の力の大小のほか、シャフトの「跳ね返り点（ｋｉｃｋ　ｐｏｉｎｔ）」の位置及び「スイング重量（ｓｗｉｎｇ　ｗｅｉｇｈｔ）」などの要素にも影響し、その中でも跳ね返り点が前端に近づくほど、そのパワーアームはより長くなり、打球のショットラインはより強くなる。ゆえに跳ね返り点が前端に近づくほどよく、かつスイング重量は大きいほどよく、いかに各項の特性を調和させ、打球フィーリングを改善するかが、この業界の長岐に渡る追求目標であった。
【０００５】
【考案が解決しようとする課題】
上述した欠点を鑑み、本考案の主要な目的は、各項特性が調和しラケットの打球フィーリングをさらに改善するバドミントンラケットを提供することである。本考案のもうひとつの目的は、スイング重量を増加させることができ、かつ跳ね返り点を大幅に前に移すことができるバドミントンラケットを提供することである。
【０００６】
【課題を解決するための手段】
前掲の目的を達成するため、本考案の提供するバドミントンラケットは複合繊維材料によって作られ、かつひとつのシャフトとひとつのヘッドフレームを有し、シャフト前端にはひとつの接続部があってヘッドフレームとつながっており、シャフトは円錐形パイプ体となっていて、その前端の外径は７．０ｍｍより小さく（５．５ｍｍ〜７．０ｍｍがよい）、かつ後端の外径は７．０ｍｍより大きく（７．０ｍｍ〜８．０ｍｍがよい）なっている。これにより、このバドミントンラケットは極めて優れた打球特性をもっている。
【０００７】
【考案の実施の形態】
本考案の特色をさらに明瞭にするため、次に比較的優れた一実施例、ならびに図を組み合わせたものを挙げ、説明は以下の通りである。
図１、２に示すように、本考案の一実施例の比較的優れたバドミントンラケット１０は、複合繊維材料（カーボンファイバー複合材料など）により作られ、ひとつのシャフト（ｓｈａｆｔ）２０およびひとつのヘッドフレーム（ｈｅａｄ　ｆｒａｍｅ）３０を備える。そのうち、シャフト２０は一本のパイプ体を呈しており、その前端２１には接続部２４があり、ヘッドフレーム３０と接続される。接続部２４の外径はシャフト２０前端より大きい。ヘッドフレーム３０は概して楕円形を呈しており、ガットを張ることにより内部にガット面５０を形成する。シャフト２０後端にはひとつのグリップ４０をつなげることができ、このようにしてひとつのバドミントンラケットとなる。
【０００８】
そのうち、シャフト２０は一本の円錐形パイプ体となっており、その前端２１は相対的に細く、外径Ａは７．０ｍｍ以下であり、製造時においては５．５ｍｍ〜７．０ｍｍの間が良い。シャフト２０の後端２２は相対的に太く、外径Ｂは７．０ｍｍ以上となり、製造時においては７．０ｍｍ〜８．０ｍｍの間が良く、かつシャフト２０の外径の大小は後端２２から前端２１に至るまで徐々に連続的に、非階段状に変化している。また、シャフト２０は必要に応じて芯の詰まった状態にすることができる。
【０００９】
このことを特に説明すると、従来の複合繊維材料により製造されたバドミントンラケットでは、そのシャフト外径は皆７．０ｍｍ以上であり、十分な反ねじり強度と剛性を提供することはできたが、打球時に打面が揺れたり折れたりすることを避けていた。本考案の一実施例ではシャフト前端の外径を７．０ｍｍ以下に限定し、これは従来の構造ではみられなかったもので、その製造技術の要求レベルは極めて高く、いまだかつてない極めて優れた弾性を提供することができるばかりか、その経過を実際にテストしたところ、その剛性、反ねじり強度は一般の標準以上に達することになるが、このラケットの製作方法及び技術理論は本考案の目的となるところではなく、これを説明するのは割愛させていただく。
【００１０】
このほか、本考案の一実施例によるバドミントンラケット１０のシャフト２０前端２１は比較的細く、後端２２は比較的太く、従って、シャフト２０においては前端に近づくほどその弾性はより優れ、かつ後端に近づくほどその剛性はより強くなり、実際にスイングして打球した際、シャフト２０は打球時のスピード及びショットラインの改善を助けてくれる。
【００１１】
さらに、シャフト２０前端が比較的細く、後端が比較的太いため、総重量が同じで、ただし外径が均一なシャフトと比較した場合、本考案の一実施例によるバドミントンラケットでは、そのシャフト２０の「跳ね返り点（ｋｉｃｋ　ｐｏｉｎｔ）」が前端に比較的近くなるため、打球時のショットラインをより力強いものとし、同時にラケットの「スイング重量（ｓｗｉｎｇ　ｗｅｉｇｈｔ）」を相対的に増してくれる（注：実際にテストしたところでは、本考案の一実施例においてスイング重量は８６以上に達し、一般的な従来のラケットの８０〜８２に比べ、約１０％増加している）。
【００１２】
本考案の一実施例によるバドミントンラケット１０のシャフト２０の剛性、反ねじり強度及び彎曲弾性などの特性のフィーリングはおしなべて従来の構造より優れ、同時に、この構造はラケットの打球時により大きなパワーを発揮させることが可能となり、ショット時の速度及びショットラインは更に攻撃性をもったものになる。
【図面の簡単な説明】
【図１】本考案の一実施例によるバトミントンラケットの概略図である。
【図２】図１の２−２線断面図である。
【図３】図３は従来のバドミントンラケットの概略図である。
【符号の説明】
１０　　　バドミントンラケット
２０　　　シャフト
２１　　　前端
２２　　　後端
２４　　　接続部
３０　　　ヘッドフレーム
４０　　　グリップ
５０　　　ガット面
【図１】
0003098026.tif 000003
【図２】
0003098026.tif 000004
【図３】
0003098026.tif 000005